(57)【要約】本発明は、以下の一般式の少なくとも１つの作用物質と2017506690.tif 000010以下の一般式の少なくとも１つの作用物質とを含むレオロジー制御剤ＲＢ４ＯＯＣ−ＮＨ−ＲＢ３−ＮＨ−ＣＯ−ＮＲＢ２−（ＣＨ２）ｘ−ＲＢ１−（ＣＨ２）ｘ−ＮＲＢ２−ＣＯ−ＮＨ−ＲＢ３−ＮＨ−ＣＯＯＲＢ４と、レオロジー制御剤の生成法と、レオロジー制御剤を含有する調製物と、増粘剤および揺変剤としてのレオロジー制御剤の使用に関する。【選択図】なし
2017506690.tif 000002
【特許請求の範囲】
【請求項１】
レオロジー制御剤であって、
一般式（Ａ）の少なくとも１つの作用物質を１０〜９５重量％含み、
2017506690.tif 000009
上式で、ＲＡ１が、ラジカルＯ＝Ｃ−Ｎ−ＲＡ２への結合により、５〜８個の環原子を有する環を形成する、二価、飽和、非環式、未置換、またはメチル置換のラジカルであり、ラジカルＲＡ２が、３〜５個の炭素原子を有するアルキル基を表し、
かつ、
一般式（Ｂ）の少なくとも１つの作用物質を５〜９０重量％を含み、
ＲＢ４ＯＯＣ−ＮＨ−ＲＢ３−ＮＨ−ＣＯ−ＮＲＢ２−（ＣＨ２）ｘ−ＲＢ１−（ＣＨ２）ｘ−ＮＲＢ２−ＣＯ−ＮＨ−ＲＢ３−ＮＨ−ＣＯＯＲＢ４  （Ｂ）
上式で、ラジカルＲＢ１は、未置換、メチル置換、および／またはエチル置換のフェニレン基、ナフチレン基、フェナントリレン基、およびアントラシレン基の群から選択され、
ラジカルＲＢ２が、互いに独立して、水素、または１〜３個の炭素原子を有するアルキル基であり、
ラジカルＲＢ３が、互いに独立して、未置換、メチル置換、および／またはエチル置換のフェニレン基、ナフチレン基、フェナントリレン基、およびアントラシレン基であり、
ラジカルＲＢ４が、互いに独立して、それぞれ７〜１５個の炭素原子を有する、直鎖または分岐のアルキル基またはアルケニル基から成る群から選択され、かつ、ラジカルＲＢ５（Ｏ−ＲＢ６）ｎにおいて、ラジカルＲＢ５が、１〜６個の炭素原子を有するアルキル基であり、ｎラジカルＲＢ６が、互いに独立して、エチレンおよび／またはプロピレンであり、ｎ＝２〜１３であり、かつ、
数字ｘが、互いに独立して、０、１、２、または３であり、百分率は、レオロジー制御剤の総重量に基づいている
レオロジー制御剤。
【請求項２】
前記ラジカルＲＡ１が、メチル置換されている、少なくとも１つの炭素原子を環原子として含有する、請求項１に記載のレオロジー制御剤。
【請求項３】
ＲＡ１が非置換である、請求項１に記載のレオロジー制御剤。
【請求項４】
前記ラジカルＲＡ１が、最大１つの酸素原子を環原子として含有し、前記原子が、Ｏ＝Ｃ−Ｎ−ＲＡ２に直接結合していない、請求項１〜３のうちいずれか一項に記載のレオロジー制御剤。
【請求項５】
前記ラジカルＲＡ１が、炭素原子のみを環原子として含有する、請求項１〜４のうちいずれか一項に記載のレオロジー制御剤。
【請求項６】
基Ｏ＝ＣおよびＮ−ＲＡ２を有するＲＡ１が、５〜７個の環原子を有する環を形成する、請求項１〜５のうちいずれか一項に記載のレオロジー制御剤。
【請求項７】
ＲＡ１が、環原子である最大１つの酸素原子によって遮断されている炭化水素ラジカルである、請求項１〜６のうちいずれか一項に記載のレオロジー制御剤。
【請求項８】
前記ラジカルＲＢ１が、未置換またはメチル置換のフェニレン基またはナフチレン基である、請求項１〜７のうちいずれか一項に記載のレオロジー制御剤。
【請求項９】
前記数字ｘが、互いに独立して、０または１である、請求項１〜８のうちいずれか一項に記載のレオロジー制御剤。
【請求項１０】
ＲＢ４が、互いに独立して、それぞれ７〜１５個の炭素原子を有する直鎖アルキル基から成る群から選択され、かつ、ラジカルＲＢ５（Ｏ−ＲＢ６）ｎにおいて、ラジカルＲＢ５が、１〜４個の炭素原子を有するアルキル基であり、ｎラジカルＲＢ６が、互いに独立して、エチレンおよび／またはプロピレンであり、ｎ＝２〜１３である、請求項１〜９のうちいずれか一項に記載のレオロジー制御剤。
【請求項１１】
前記ラジカルＲＡ１が、ラジカルＯ＝Ｃ−Ｎ−ＲＡ２への結合によって、５または６個の環原子を有する環を形成する未置換またはメチル置換のアルキレンラジカルであり、
前記ラジカルＲＢ１が、未置換またはメチル置換のフェニレン基またはナフチレン基であり、
前記ラジカルＲＢ２が、互いに独立して、水素、メチル、またはエチルであり、
前記ラジカルＲＢ３が、互いに独立して、未置換またはメチル置換のフェニレン基またはナフチレン基であり、
前記ラジカルＲＢ４が、互いに独立して、それぞれ７〜１５個の炭素原子を有する、直鎖または分岐のアルキル基から成る群から選択され、さらに、ラジカルＲＢ５（Ｏ−ＲＢ６）ｎにおいて、前記ｎラジカルＲＢ５が、１〜４個の炭素原子を有するアルキル基であり、前記ラジカルＲＢ６が、互いに独立して、エチレンおよび／またはプロピレンであり、ｎ＝２〜１３である、請求項１に記載のレオロジー制御剤。
【請求項１２】
前記ラジカルＲＢ６におけるエチレンとプロピレンのモル比が、少なくとも３：１である、請求項１〜１１のうちいずれか一項に記載のレオロジー制御剤。
【請求項１３】
レオロジー制御剤の総重量に対して、合計で４０〜１００重量％の前記作用物質（Ａ）および（Ｂ）を含有する、請求項１〜１２のうちいずれか一項に記載のレオロジー制御剤。
【請求項１４】
前記作用物質（Ａ）と作用物質（Ｂ）の重量パーセント比が、１：１．５〜１０：１である、請求項１〜１３のうちいずれか一項に記載のレオロジー制御剤。
【請求項１５】
それぞれレオロジー制御剤の総重量に対して、作用物質（Ａ）が２０〜９０重量％、作用物質（Ｂ）が１０〜８０重量％含有されている、請求項１〜１４のうちいずれか一項に記載のレオロジー制御剤。
【請求項１６】
前記成分（Ａ）および（Ｂ）とは異なる成分（Ｚ）を含有し、添加剤成分（Ｚ）が、有機溶剤類（ＺＬ）、塩類（ＺＳ）、ならびに、（ＺＬ）および（ＺＳ）とは異なるその他のモノマー添加剤、オリゴマー添加剤、またはポリマー添加剤（ＺＶ）から成る群から選択される、請求項１〜１５のうちいずれか一項に記載のレオロジー制御剤。
【請求項１７】
前記成分（ＺＶ）が、尿素調製物の総重量に対して、０〜２０重量％含有されている、請求項１〜１６のうちいずれか一項に記載のレオロジー制御剤。
【請求項１８】
前記成分（ＺＶ）が、遊離またはブロックされたイソシアネート基を有するポリイソシアネート類、アミノ樹脂類、ポリアミン類、およびポリエポキシド類から成る群から選択される架橋剤を含有しない、請求項１６または１７に記載のレオロジー制御剤。
【請求項１９】
前記成分（ＺＶ）が、ヒドロキシル基含有化学種として、ヒドロキシル価が１５ｍｇ  ＫＯＨ／ｇ未満である化学種しかを含有しない、請求項１６〜１８のうちいずれか一項に記載のレオロジー制御剤。
【請求項２０】
前記総重量に対して、５重量％未満の水を含有する、請求項１〜１９のうちいずれか一項に記載のレオロジー制御剤。
【請求項２１】
顔料および充填剤を含有しない、請求項１〜２０のうちいずれか一項に記載のレオロジー制御剤。
【請求項２２】
成分（Ａ）、（Ｂ）、（ＺＬ）、（ＺＳ）、および（ＺＶ）が、互いに対し化学的に不活性である、請求項１〜２１のうちいずれか一項に記載のレオロジー制御剤。
【請求項２３】
その総重量に対して、請求項１〜２２のうちいずれか一項に記載のレオロジー制御剤を０．０５〜１０重量％含む調製物であって、前記調製物が、コーティング剤調合物、プラスチック配合物、顔料ペースト、シーラント配合物、化粧品、セラミック配合物、接着剤配合物、鋳造材料、建築材料配合物、潤滑剤、パテ材料、印刷インキ、およびインク、ならびに石油や天然ガスの採掘補助剤から成る群から選択される調製物。
【請求項２４】
（ｂ）一般式（Ｂ）の少なくとも１つの作用物質が、一般式（Ｂ）の少なくとも１つの作用物質が、化合物（Ｂ’’）を用いて一般式（Ｂ’）の化合物を変換することにより生成され、
ＨＮＲＢ２−（ＣＨ２）ｘ−ＲＢ１−（ＣＨ２）ｘ−  ＮＲＢ２−ＣＯ−ＮＨ−ＲＢ３−ＮＨ−ＣＯＯＲＢ４  （Ｂ’）
ＲＢ４ＯＯＣ−ＮＨ−ＲＢ３−ＮＣＯ  （Ｂ’’）
上式で、
ラジカルＲＢ１は、未置換、メチル置換、および／またはエチル置換のフェニレン基、ナフチレン基、フェナントリレン基、およびアントラシレン基の群から選択され、
ＲＢ２が、互いに独立して、水素、または１〜３個の炭素原子を有するアルキル基であり、
ＲＢ３が、互いに独立して、未置換、メチル置換、および／またはエチル置換のフェニレン基、ナフチレン基、フェナントリレン基、およびアントラシレン基であり、
ＲＢ４が、互いに独立して、それぞれ７〜１５個の炭素原子を有する、直鎖または分岐のアルキル基またはアルケニル基から成る群から選択され、さらに、ラジカルＲＢ５（Ｏ−ＲＢ６）ｎにおいて、ラジカルＲＢ５が、１〜６個の炭素原子を有するアルキル基であり、ｎラジカルＲＢ６が、互いに独立して、エチレンおよび／またはプロピレンであり、ｎ＝２〜１３であり、
数字ｘが、互いに独立して、０、１、２、または３であり；かつ
（ｂ１）一般式（Ｂ）の少なくとも１つの作用物質の生成が、式（Ａ）の少なくとも１つの作用物質の存在下で行われるか、または、
（ｂ２）一般式（Ｂ）の少なくとも１つの作用物質の生成に続いて、式（Ａ）の少なくとも１つの作用物質が、式（Ｂ）の作用物質と混合される、
請求項１〜２２のうちいずれか一項に記載のレオロジー制御剤の生成法。
【請求項２５】
溶剤含有調製物、溶剤非含有調製物、液体調製物、または無水調製物を増粘する、および／またはこれに揺変性を与えるための、請求項１〜２２のうちいずれか一項に記載のレオロジー制御剤の使用。
【発明の詳細な説明】
【技術分野】
【０００１】
本発明は、少なくとも２つの作用物質の組み合わせを含むレオロジー制御剤と、レオロジー制御剤を含有する調製物と、レオロジー制御剤の生成法と、さまざまな調製物を増粘し、揺変性を与えるその使用に関する。
【背景技術】
【０００２】
本明細書においてレオロジー添加剤とも呼ばれるレオロジー制御剤は、基本的に、さまざまな調製物の粘性を高めたり、そのときどきの適用に対し調製物の流動挙動を最適化するのに適している。そのような調製物、例えばコーティング剤の貯蔵安定性と加工性を向上させ、ならびに、このようなコーティング剤を基板に塗布する際に、膜厚をより厚くするための努力がなされている。
【０００３】
レオロジー添加剤を使用することにより、分離性、沈降性、離漿性を大幅に低減し、調製物の貯蔵安定性を最適化できることは周知である。このために、静止時に構造粘性を生じ、系の弾性率を高めるような、揺変性流動挙動を有する好ましい製品が用いられる。
【０００４】
液体系、とりわけ液体コーティング剤系のレオロジーを制御するために、レオロジー補助剤として、主に有機的に修飾されたベントナイト、珪酸、硬化ヒマシ油、ポリアミドワックスが用いられる。
【０００５】
これらのレオロジー補助剤の使用における欠点は、これがたいていの場合、乾燥固体の形で存在することである。そのため、上述のレオロジー補助剤は、使用前に、溶剤およびせん断力を用いてまず可溶化し半製品にする。別法として、可溶化されていないレオロジー補助剤を、適切な温度制御により、これを液体適応系、例えばコーティング剤系に入れて用いることもできる。この温度制御を目標値に従って行わないと、通常は、できあがったコーティング系に結晶子が生じ、コーティングが失敗する可能性がある。そのようなレオロジー補助剤の一般的な欠点は、これが、とりわけ澄んだ透明なコーティングの濁りや曇り（ヘイズ）の原因となりかねないことである。さらに、加工時にちりを巻き起こす可能性のある乾燥した粉末状の製品の取り扱いは好ましくない。
【０００６】
この固体レオロジー制御剤の液体適応代替物となるのが、特殊な尿素化合物の溶液である。特許文献１には、特殊な尿素化合物のジメチルアセトアミドとＮ−メチル−ピロリドンの溶液について記載されている。特許文献２には、実施例に、尿素化合物のジメチルスルホキシドとジメチルホルムアミドとＮ−メチル−ピロリドンの溶液が開示されている。レオロジー効果のある溶液は、例えば特許文献３にも開示されている。他にも、例えば特許文献４に開示されているように、レオロジー効果のある物質が開発されている。
【先行技術文献】
【特許文献】
【０００７】
【特許文献１】欧州特許出願公開第１１８８７７９号明細書
【特許文献２】欧州特許出願公開第０００６２５２号明細書
【特許文献３】米国特許第４８５７１１１号明細書
【特許文献４】米国特許第８５５２１３２号明細書
【特許文献５】国際公開第２０１０／０６３３５８号
【特許文献６】欧州特許第１１８８７７９号明細書
【非特許文献】
【０００８】
【非特許文献１】キッテル（Ｋｉｔｔｅｌ）著、「ローセミッテル、ヴァイヒマッヒャー  ウント  アディッテイヴェ（Ｌｏｓｅｍｉｔｔｅｌ，Ｗｅｉｃｈｍａｃｈｅｒ  ｕｎｄ  Ａｄｄｉｔｉｖｅ）」、レーアブッフ  デア  ラッケ  ウント  ベシッヒテュンゲン（Ｌｅｈｒｂｕｃｈ  ｄｅｒ  Ｌａｃｋｅ  ｕｎｄ  Ｂｅｓｃｈｉｃｈｔｕｎｇｅｎ）、（ドイツ）、ヒルツェル  フェアラーク（Ｓ．Ｈｉｒｚｅｌ  Ｖｅｒｌａｇ）、２００７年、第４巻、第２版、２００７年、ｐ．８１−８５
【発明の概要】
【発明が解決しようとする課題】
【０００９】
溶解させた尿素化合物のレオロジー制御特性は、たいていの場合、確かにかなり良好ではあるが、さらに最適な挙動が求められることが多い。最適な挙動は、塗装関連配合物、例えば、さまざまな結合剤を含有する系において、レオロジー効果の向上に限らず、幅広い相溶性という形でも示される。
【００１０】
液状で提供されるレオロジー制御剤との関連で考慮すべき別の側面が、その貯蔵安定性である。貯蔵期間が長かったり、例えば貯蔵庫の温度が変動するなどの貯蔵によるストレスが高かったりすると、貯蔵安定性が低下し、それに伴って目標系における効果が低減する可能性がある。
【００１１】
したがって、レオロジー効果と貯蔵安定性が改善されたレオロジー制御剤が依然として必要とされている。調製物のレオロジー効果は、例えば寸法安定性、すなわち、レオロジー制御剤が配合されたコーティング剤の流量限界に基づいて確認できる。
【００１２】
さらに、塗装関連配合物、例えばラッカーにおいて幅広い相溶性を有するレオロジー制御剤が求められている。とりわけ、それを含めて生産されたラッカーには、極力、斑点、もや、および／または濁りがないであろう。
【００１３】
貯蔵安定性の問題は、主に、貯蔵期間が長く、貯蔵条件に変動がある場合に生じる。貯蔵条件に変動があるというのは、とりわけ、貯蔵されたレオロジー制御剤添加調製物が部分的に極度の温度変動にさらされているような条件と理解される。そのような条件は、例えば、暖房設備のない倉庫で季節の移り変わりを経る場合や、輸送時に生じる可能性がある。
【００１４】
したがって、本発明の課題は、とりわけ、貯蔵安定性および輸送安定性が改善された、相応に高品質で十分に効果的な改良レオロジー制御剤に加え、これを用いて生成される調製物も提供することである。この調製物はコーティング剤であり、とりわけ温度ストレス下での貯蔵後、本発明による添加が行われていないコーティング剤と比較して、斑点が形成されにくく、したがって、良好な外見を呈することになる。さらに、調製物のゲル強度と寸法安定性は、一般的なレオロジー制御剤を含有する調製物と比べて改善されているであろう。その他の改善点は、以下の説明および実施例で明らかにしていく。
【課題を解決するための手段】
【００１５】
上記の課題は、以下に記載する式（Ａ）および（Ｂ）（以下、作用物質（Ａ）および（Ｂ）ともいう）の、少なくとも２つの異なる作用物質を含有するレオロジー制御剤を提供することによって解決された。このとき、２つの作用物質は、以下の式の少なくとも１つの構造要素を必ず有するが、これらの構造要素は、２つの作用物質において、極めて異なる別の分子断片と結合している。
【００１６】
【化１】
2017506690.tif 000003
【００１７】
具体的には、上記の課題は、以下を含むレオロジー制御剤を提供することによって解決された。
【００１８】
一般式（Ａ）の少なくとも１つの作用物質を１０〜９５重量％。
【００１９】
【化２】
2017506690.tif 000004
【００２０】
上式で、ＲＡ１は、ラジカルＯ＝Ｃ−Ｎ−ＲＡ２への結合により、５〜８個の環原子を有する環を形成する、二価、飽和、非環式、未置換、またはメチル置換のラジカルであり、ラジカルＲＡ２は、３〜５個の炭素原子を有するアルキル基を表す。
【００２１】
さらに、一般式（Ｂ）の少なくとも１つの作用物質を５〜９０重量％。
【００２２】
（化学式３）
ＲＢ４ＯＯＣ−ＮＨ−ＲＢ３−ＮＨ−ＣＯ−ＮＲＢ２−（ＣＨ２）ｘ−ＲＢ１−（ＣＨ２）ｘ−ＮＲＢ２−ＣＯ−ＮＨ−ＲＢ３−ＮＨ−ＣＯＯＲＢ４  （Ｂ）
【００２３】
上式で、ラジカルＲＢ１が、未置換、メチル置換、および／またはエチル置換のフェニレン基、ナフチレン基、フェナントリレン基、およびアントラシレン基の群から選択され、
ＲＢ２が、互いに独立して、水素、または１〜３個の炭素原子を有するアルキル基であり、
ＲＢ３が、互いに独立して、未置換、メチル置換、および／またはエチル置換のフェニレン基、ナフチレン基、フェナントリレン基、およびアントラシレン基であり、
ＲＢ４が、互いに独立して、それぞれ７〜１５個の炭素原子を有する、直鎖または分岐のアルキル基またはアルケニル基から成る群から選択され、さらに、ラジカルＲＢ５（Ｏ−ＲＢ６）ｎにおいて、ラジカルＲＢ５が、１〜６個の炭素原子を有するアルキル基であり、ラジカルＲＢ６が、互いに独立して、エチレンおよび／またはプロピレンであり、ｎ＝１〜１４、好ましくは２〜１３であり、数字ｘが、互いに独立して、０、１、２、または３であり、かつ、百分率は、レオロジー制御剤の総重量に基づいている。
【００２４】
用語「飽和」は、本発明の意味において、該当する構造要素が、永続的な炭素−炭素多重結合を有していないことを意味する。永続的でない炭素−炭素多重結合の一例が、炭素−炭素二重結合であり、これは、ケトエノール互変異性により形成可能である。
【００２５】
上述の作用物質（Ａ）および（Ｂ）、ならびに以下に説明する添加剤成分（Ｚ）は、それぞれの成分のそれぞれの定義に該当する、１つまたは複数の化学種を含むことができる。成分に対するすべての割合限界は、成分がそのつど１つのみの化学種で構成されている場合にも、複数の化学種がそれぞれの成分を形成する場合にも該当する。このとき、個々の化学種の重量の割合の合計が、割合限界内になければならない。
【００２６】
成分の１つまたは複数が、特別な１つの化学種、または特別な化学種の群に限定される場合、この成分から除外されてしまった化学種は、なおも本発明によるレオロジー制御剤に含まれていてよいが、それぞれの成分に残る化学種を含む合計において、成分の本来の割合限界を越える量で含むことはできない。
【００２７】
例えば、本発明の特別な実施形態において、作用物質（Ｂ）からそのような化学種が除外され、その化学種においてｘ＝２または３であるとき、その後も作用物質（Ｂ）に残るｘ＝０または１である化学種については、レオロジー制御剤の総重量に対して５〜９０重量％の量で含まれていてよい。しかしながら、残りの化学種が、８０重量％の割合でしか含まれていなければ、作用物質（Ｂ）の限定的な定義から除外されたｘ＝２または３である化学種を、レオロジー制御剤の総重量に対して最大１０重量％含んでよい。
【００２８】
本来、成分（Ａ）または（Ｂ）の１つに加えることが可能であったものの、それぞれの成分を特定することにより、その定義に当てはまらなくなってしまった化学種は、以下に定義する添加剤成分（Ｚ）の化学種と解される。その場合、それらの化学種は、その割合に関して、それらが排除された成分に残る化学種と合わせて、前の段落で説明したそれぞれの成分の本来の割合限界が必ず課される。しかしながら、好ましくは、また追加的にも、好ましくは添加剤成分（Ｚ）のために定められた限界も課される。
【００２９】
本発明の特別な実施形態では、作用物質（Ａ）のラジカルＲＡ１は少なくとも１つの炭素原子を環原子として含み、この原子はメチル置換基を持つ。好ましくは、ラジカルＲＡ１はそれ以上の置換基を持たず、極めて好ましくは、メチル置換基のみを持つ。
【００３０】
本発明によるレオロジー制御剤の特に好ましい実施形態では、作用物質（Ａ）のラジカルＲＡ１は完全に非置換である。極めて好ましくは、この場合、ラジカルＲＡ１は、ｎ−プロピレンラジカルまたはｎ−ブチレンラジカル、つまり、とりわけラジカルＣＨ２−Ｏ−ＣＨ２、ＣＨ２−Ｏ−ＣＨ２−ＣＨ２、またはＣＨ２−ＣＨ２−Ｏ−ＣＨ２のような、最大１つの酸素原子を環原子として含み、これがラジカルＯ＝Ｃ−Ｎ−ＲＡ２に直接結合していないラジカルである。
【００３１】
特に好ましくは、作用物質（Ａ）のラジカルＲＡ１は、炭素原子のみを環原子として含有し、これは、極めて好ましくは非置換であり、それぞれ２つの水素原子に結合している。
【００３２】
作用物質（Ａ）の別の実施形態では、ラジカルＲＡ１が、環原子である最大１つの酸素原子によって遮断されている炭化水素ラジカルである。
【００３３】
本発明によるレオロジー制御剤の好ましい実施形態では、基Ｏ＝ＣおよびＮ−ＲＡ２を有する作用物質（Ａ）のラジカルＲＡ１が、５〜７個の環原子を有する環を形成する。
【００３４】
作用物質（Ａ）の前述の実施形態すべてにおいて、作用物質（Ａ）を、以下に説明する作用物質（Ｂ）と任意に組み合わせて、本発明によるレオロジー制御剤を得ることができる。これは、好ましいと称される作用物質（Ａ）に極めて該当する。
【００３５】
作用物質（Ｂ）において、ラジカルＲＢ１は、好ましくは、未置換またはメチル置換のフェニレン基またはナフチレン基、極めて好ましくはフェニレン基、とりわけｍ−フェニレン基またはｐ−フェニレン基である。このようなラジカルＲＢ１は、本明細書で同様に記述する、本発明によるレオロジー制御剤生成法を実施する際に有利であることが明らかとなっている。これは、わずかな立体遮蔽によるものと推測される。
【００３６】
好ましくは、レオロジー制御剤において、作用物質（Ｂ）の式（Ｂ）の数字ｘが、互いに独立して、０または１である。
【００３７】
特に好ましくは、ラジカルＲＢ１が、ｍ−フェニレン基またはｐ−フェニレン基であり、ｘが０または１、極めて好ましくは、ｘが１である。
【００３８】
特に好ましくは、ラジカルＲＢ２が水素である。
【００３９】
式（Ｂ）の作用物質の別の特に好ましい実施形態では、ラジカルＲＢ１がｍ−フェニレン基またはｐ−フェニレン基であり、ラジカルＲＢ２が水素であり、ｘが０または１である。
【００４０】
特に好ましくは、ラジカルＲＢ３が未置換またはメチル置換のフェニレン基であり、極めて好ましくは、モノメチル置換ｍ−フェニレン基、例えば６−メチル−ｍ−フェニレンである。
【００４１】
式（Ｂ）の作用物質の別の特に好ましい実施形態では、ラジカルＲＢ１がｍ−フェニレン基またはｐ−フェニレン基であり、ラジカルＲＢ２が水素であり、ＲＢ３が未置換またはメチル置換のフェニレン基、極めて好ましくはモノメチル置換ｍ−フェニレン基であり、ｘが０または１、とりわけ１である。
【００４２】
さらに好ましくは、レオロジー制御剤において、そのラジカルＲＢ４が、互いに独立して、それぞれ７〜１５個の炭素原子を有する直鎖アルキル基から成る群から選択され、かつ、ラジカルＲＢ５（Ｏ−ＲＢ６）ｎにおいて、ラジカルＲＢ５が、１〜４個の炭素原子を有するアルキル基であり、ｎラジカルＲＢ６が、互いに独立して、エチレンおよび／またはプロピレンであり、ｎ＝１〜１４、好ましくは２〜１３である。上述のラジカルＲＢ４において、有利には、とりわけ７〜１５個の炭素原子、さらに好ましくは８〜１５個の炭素原子、極めて好ましくは９〜１４個の炭素原子、例えば１０〜１３個の炭素原子を有する直鎖アルキル基が用いられる。極めて好ましい実施形態では、ラジカルＲＢ４は、ｎ−デシル、ｎ−ウンデシル、ｎ−ドデシル、ｎ−トリデシル、ｎ−テトラデシルから成る群から選択されるラジカルである。本段落に挙げる好ましい例は、とりわけ、溶剤含有、または溶剤非含有の、好ましくは無水調製物に用いられるレオロジー補助剤に該当するが、これらに限定されない。
【００４３】
本発明によるレオロジー制御剤の特に好ましい実施形態では、
【００４４】
ラジカルＲＡ１が、ラジカルＯ＝Ｃ−Ｎ−ＲＡ２への結合によって、５または６個の環原子を有する環を形成する未置換またはメチル置換のアルキレンラジカルであり、
【００４５】
ラジカルＲＢ１が、未置換またはメチル置換のフェニレン基またはナフチレン基であり、
【００４６】
ラジカルＲＢ２が、互いに独立して、水素、メチル、またはエチルであり、
【００４７】
ラジカルＲＢ３が、互いに独立して、未置換またはメチル置換のフェニレン基またはナフチレン基であり、
【００４８】
ラジカルＲＢ４が、互いに独立して、それぞれ７〜１５個の炭素原子を有する、直鎖または分岐のアルキル基から成る群から選択され、かつ、ラジカルＲＢ５（Ｏ−ＲＢ６）ｎにおいて、ラジカルＲＢ５が、１〜４個の炭素原子を有するアルキル基であり、ｎラジカルＲＢ６が、互いに独立して、エチレンおよび／またはプロピレンであり、ｎ＝１〜１４、好ましくは２〜１３である。
【００４９】
本発明によるレオロジー制御剤の極めて好ましい実施形態では、
【００５０】
ラジカルＲＡ１が、ラジカルＯ＝Ｃ−Ｎ−ＲＡ２への結合によって、５または６個の環原子を有する環を形成する未置換アルキレンラジカルであり、
【００５１】
ラジカルＲＢ１が、未置換フェニレン基であり、
【００５２】
ラジカルＲＢ２が、互いに独立して、水素、メチル、またはエチル、好ましくは水素であり、
【００５３】
ラジカルＲＢ３が、互いに独立して、未置換またはメチル置換のフェニレン基、特に好ましくはメチル置換フェニレン基であり、
【００５４】
ラジカルＲＢ４が、互いに独立して、それぞれ７〜１５個の炭素原子を有する、直鎖または分岐のアルキル基から成る群から選択される。
【００５５】
極めて好ましくは、本発明のすべての実施形態において、１〜４個の炭素原子を有するアルキルラジカル、例えばメチルラジカルまたはｎ−ブチルラジカルであるラジカルＲＢ５が存在する。
【００５６】
極めて好ましくは、本発明のすべての実施形態において、ラジカルＲＢ６におけるエチレンとプロピレンのモル比が、少なくとも３：１、好ましくは少なくとも５：１であるラジカルＲＢ６が存在する。特に好ましくは、ラジカルＲＢ６が、もっぱらエチレンである。
【００５７】
ラジカルＲＢ６を持つレオロジー制御剤は、とりわけラジカルＲＢ６がエチレンラジカルである場合に、極性調製物において特に高い相溶性を有する。ｎ＝６〜１３の場合も、極性調製物に有利である。極性調製物に用いるのに特に好ましくは、ｎ＝６〜１３であり、かつ、ＲＢ６がエチレンである。このようなレオロジー制御剤は、好ましくは極性調製物、特に好ましくは水性調製物に用いることができる。
【００５８】
好ましくは、本発明によるレオロジー制御剤が、レオロジー制御剤の総重量に対して、合計で４０〜１００重量％、さらに好ましくは５５〜１００重量％、特に好ましくは６５〜１００重量％、極めて好ましくは、本発明によるレオロジー制御剤の総重量に対して８５〜１００重量％の作用物質（Ａ）および（Ｂ）を含有する。特に好ましい実施形態では、本発明によるレオロジー制御剤が、作用物質（Ａ）と（Ｂ）とから成る。それとは無関係に、作用物質（Ａ）と作用物質（Ｂ）の重量パーセント比が、１：１．５〜１０：１、さらに好ましくは１：１．３〜９．３：１、特に好ましくは１：０．７〜６：１であることが好ましい。
【００５９】
特に好ましくは、本発明によるレオロジー制御剤は、標準気圧（１０１３ｍｂａｒ）での室温（２５℃）において液体である。そのようなレオロジー制御剤は、特に良好な加工性を備えており、予め溶液に変える必要がない。
【００６０】
本発明によるレオロジー制御剤の特に好ましい実施形態では、それぞれレオロジー制御剤の総重量に対して、作用物質（Ａ）が２０〜９０重量％、作用物質（Ｂ）が１０〜８０重量％含有されている。
【００６１】
本発明によるレオロジー制御剤の極めて好ましい実施形態では、それぞれレオロジー制御剤の総重量に対して、作用物質（Ａ）が３０〜９０重量％、さらに好ましくは５０〜９０重量％、作用物質（Ｂ）が１０〜７０重量％、さらに好ましくは１０〜５０重量％含有されている。
【００６２】
上記の作用物質（Ａ）と（Ｂ）の他に、１つまたは複数の、これらの成分とは異なる添加剤成分（Ｚ）（本明細書において成分（Ｚ）ともいう）を含有することができる。一般的に、（Ａ）および（Ｂ）の定義に該当しない成分を成分（Ｚ）と見なすことができる。
【００６３】
ゆえに、成分（Ｚ）は有機溶剤であってよい。このような有機溶剤（ＺＬ）が、レオロジー制御剤の総重量に対して、好ましくは３５重量％未満、さらに好ましくは２５重量％未満、とりわけ好ましくは１０重量％未満、極めて好ましくは５重量％未満含有されている。溶剤（ＺＬ）が含有されている場合、その割合が、本発明によるレオロジー制御剤の総重量に対して、好ましくは１〜３５重量％、特に好ましくは１〜２５重量％、極めて好ましくは１〜１０重量％である。
【００６４】
本発明によるレオロジー制御剤のその他の構成要素と比べて化学的に不活性である、先行技術により周知の有機溶剤（ＺＬ）すべてが考慮の対象となる。有機溶剤（ＺＬ）は、とりわけ、レオロジー制御剤のその後の適用範囲を考慮して選択できる。そのため、適切な溶剤（ＺＬ）を選択する際、その後の適用条件下での蒸発温度や、塗装系との化学的および／または物理的相溶性といった側面が重要となる場合がある。ゆえに、通常、溶剤（ＺＬ）が、レオロジー制御剤が添加される塗装系に対し、化学的に反応性が高かったり、凝固することは望ましくない。溶剤（ＺＬ）は通常、２５℃で液体である。これは、とりわけ組成物に他の構成要素が存在する場合に該当する。溶剤（ＺＬ）を用いる場合、最大３種、特に好ましくは２種の互いに異なる溶剤（ＺＬ）を用いることが好ましい。極めて好ましくは、１種の溶剤（ＺＬ）のみを用いる。
【００６５】
特に好ましくは、レオロジー制御剤は有機溶剤（ＺＬ）を含有しない。
【００６６】
溶剤（ＺＬ）の使用に対する上記の割合限界は、使用する各種溶剤（ＺＬ）の数とは無関係に該当する。
【００６７】
好ましくは、溶剤（ＺＬ）は、脂肪族炭化水素類、脂環式炭化水素類、芳香族テルペン、テルペノイド類、芳香族炭化水素類、塩素化炭化水素類、アルコール類、ケトン類、エステル類、グリコールエーテル類、エーテル類、アミド類、スルホン類、スルホキシド類、アセタール類およびニトロアルカン類から成る群から選択される。上述の上位概念に該当する適切な溶剤の例が、非特許文献１の表４．１．２３に記載されている。
【００６８】
好ましくは、溶剤（ＺＬ）のモル質量が、３２〜３００ｇ／ｍｏｌ、好ましくは３２〜約２５０ｇ／ｍｏｌ、特に好ましくは３２〜約２００ｇ／ｍｏｌである。極めて好ましくは、溶剤がモノマー化合物である。
【００６９】
本発明の一実施形態では、本発明によるレオロジー制御剤が、添加剤成分（Ｚ）として０．５〜４．０重量％の塩（ＺＳ）を含有し、塩（ＺＳ）の５０〜１００重量％、好ましくは１００重量％が、アルカリ金属塩、アルカリ土類金属塩、またはアンモニウム塩、好ましくはリチウム塩、カルシウム塩、またはマグネシウム塩、特に好ましくはリチウム塩またはカルシウム塩であり、この塩は、アニオンとして、好ましくは一価のアニオン、特に好ましくはハロゲン化物、擬ハロゲン化物、ギ酸塩、アセテート、および／または硝酸塩、極めて好ましくは塩化物、アセテートおよび／または硝酸塩を、対イオンとして持つ。
【００７０】
溶剤（ＺＬ）と異なるいわゆるイオン性液体も塩（ＺＳ）とみなされる。イオン性液体は、本発明の範囲において、融点が８０℃未満、好ましくは融点が５０℃未満、特に好ましくは３０℃未満、極めて好ましくは２０℃未満である有機塩類、または有機塩類から成る混合物と理解される。本明細書において特に好ましいイオン性液体は、室温で液体である。極めて好ましく塩（ＺＳ）として用いることができるイオン性液体は、例えば特許文献５に記載されているイオン性液体である。
【００７１】
塩（ＺＳ）である調合物がイオン性液体を含有する場合、好ましくはこれを５〜５０重量％の量で含有する。
【００７２】
上記の成分（Ａ）、（Ｂ）、（ＺＬ）、および（ＺＳ）の他に、これらの成分とは異なる、１つまたは複数の成分（ＺＶ）が含有されていてよい。一般に、（Ａ）、（Ｂ）、（ＺＬ）、および（ＺＳ）の定義に該当しないすべての成分を、成分（ＺＶ）とみなすことができる。
【００７３】
これは、例えば、その他のモノマー物質、オリゴマー物質、またはポリマー物質（ＺＶ）であってよい。
【００７４】
好ましくは、レオロジー制御剤の総重量に対して０〜最大２０重量％、特に好ましくは０〜１０重量％、極めて好ましくは０〜５重量％、とりわけ好ましくは０〜３重量％の成分（ＺＶ）が含有されている。好ましくは、レオロジー制御剤は成分（ＺＶ）を含有しない。
【００７５】
成分（ＺＶ）がレオロジー制御剤の総重量に対して好ましい量であることとは完全に無関係に、成分（Ｂ）を形成する化学種と、成分（ＺＶ）を形成する化学種の総重量との重量比は、好ましくは＞１：０．５、特に好ましくは＞１：  ０．２５、極めて好ましくは＞１：０．１である。
【００７６】
成分（ＺＶ）がヒドロキシル基含有化学種を含有する場合、そのヒドロキシル価は、好ましくは１５ｍｇ  ＫＯＨ／ｇ未満である。好ましくは、それぞれの化学種に含まれるヒドロキシル基が最大１つである。極めて好ましくは、成分（ＺＶ）はヒドロキシル基含有化学種を含有しない。
【００７７】
成分（ＺＶ）は、好ましくは、いわゆる架橋剤を含有しない。本発明の意味における架橋剤は、とりわけ、遊離またはブロックされたイソシアネート基を有するポリイソシアネート類、アミノ樹脂類、例えばメラミン樹脂類、尿素ホルムアルデヒド樹脂類、もしくはベンゾグアナミン樹脂類、ポリアミン類、およびポリエポキシド類である。
【００７８】
添加剤成分（Ｚ）は、レオロジー制御剤に用いられる限りにおいて、有機溶剤類（ＺＬ）、塩類（ＺＳ）、およびその他のモノマー添加剤、オリゴマー添加剤、またはポリマー添加剤（ＺＶ）から成る群から選択される１つまたは複数の化学種から成る。
【００７９】
好ましい実施形態では、本発明によるレオロジー制御剤は、それぞれレオロジー制御剤の総重量に対して、
【００８０】
ｉ．２０〜８５重量％（Ａ）、
【００８１】
ｉｉ．１０〜６５重量％（Ｂ）、
【００８２】
ｉｉｉ．０〜３５重量％（ＺＬ）、
【００８３】
（ＺＳ）が、ハロゲン化物類、擬ハロゲン化物類、ギ酸塩類、アセテート類、および／または硝酸塩類の群から選択される、一価のアニオンを有する１つまたは複数のアルカリ金属塩、アルカリ土類金属塩、またはアンモニウム塩である場合、
【００８４】
ｉｖ．０．５〜４重量％（ＺＳ）、または
【００８５】
（ＺＳ）がイオン性液体である場合、５〜５０重量％（ＺＳ）、
【００８６】
ｖ．０〜２０重量％（ＺＶ）から成る。
【００８７】
特に好ましい実施形態では、本発明によるレオロジー制御剤は、それぞれレオロジー制御剤の総重量に対して、
【００８８】
ｉ．３０〜８０重量％（Ａ）、
【００８９】
ｉｉ．１５〜６０重量％（Ｂ）、
【００９０】
ｉｉｉ．０〜２５重量％（ＺＬ）、
【００９１】
（ＺＳ）が、ハロゲン化物類、擬ハロゲン化物類、ギ酸塩類、アセテート類、および／または硝酸塩類の群から選択される、一価のアニオンを有する１つまたは複数のアルカリ金属塩、アルカリ土類金属塩、またはアンモニウム塩である場合、
【００９２】
ｉｖ．０．５〜４重量％（ＺＳ）、または
【００９３】
（ＺＳ）がイオン性液体である場合、５〜５０重量％（ＺＳ）、
【００９４】
ｖ．０〜１０重量％（ＺＶ）から成る。
【００９５】
極めて好ましい実施形態では、本発明によるレオロジー制御剤は、それぞれレオロジー制御剤の総重量に対して、
【００９６】
ｉ．３５〜７５重量％（Ａ）、
【００９７】
ｉｉ．２０〜５５重量％（Ｂ）、
【００９８】
ｉｉｉ．０〜２５重量％（ＺＬ）、
【００９９】
（ＺＳ）が、ハロゲン化物類、擬ハロゲン化物類、ギ酸塩類、アセテート類、および／または硝酸塩類の群から選択される、一価のアニオンを有する１つまたは複数のアルカリ金属塩、アルカリ土類金属塩、またはアンモニウム塩である場合、
【０１００】
ｉｖ．０．５〜４重量％（ＺＳ）、または
【０１０１】
（ＺＳ）がイオン性液体である場合、５〜５０重量％（ＺＳ）、
【０１０２】
ｖ．０〜５重量％（ＺＶ）から成る。
【０１０３】
上述の実施形態、とりわけ、好ましい実施形態、特に好ましい実施形態、および極めて好ましい実施形態のすべてについて、好ましくは、成分（ＺＬ）または（ＺＶ）、とりわけ（ＺＬ）、および（ＺＶ）が含有されていない。
【０１０４】
上述の実施形態、とりわけ、好ましい実施形態、特に好ましい実施形態、および極めて好ましい実施形態のすべてについて、好ましくは、成分（ＺＬ）が、化学種として、分子量３００ｇ／ｍｏｌ以下の有機溶剤のみを含む。
【０１０５】
上述の実施形態、とりわけ、好ましい実施形態、特に好ましい実施形態、および極めて好ましい実施形態のすべてについて、成分（ＺＶ）が存在し、かつ、ヒドロキシル基含有化学種を含有する限りにおいて、その化学種のヒドロキシル価が、好ましくは１５ｍｇ  ＫＯＨ／ｇ未満である。好ましくは、それぞれの化学種に含有されるヒドロキシル基が最大１つである。極めて好ましくは、成分（ＺＶ）はヒドロキシル基含有化学種を含有しない。
【０１０６】
上述の実施形態、とりわけ、好ましい実施形態、特に好ましい実施形態、および極めて好ましい実施形態のすべてについて、成分（ＺＶ）は、好ましくは、いわゆる架橋剤を含有しない。本発明の意味における架橋剤は、とりわけ、遊離またはブロックされたイソシアネート基を有するポリイソシアネート類、アミノ樹脂類、例えばメラミン樹脂類、尿素ホルムアルデヒド樹脂類、もしくはベンゾグアナミン樹脂類、ポリアミン類、およびポリエポキシド類である。
【０１０７】
本発明によるレオロジー制御剤は、前述のように、構成要素（Ａ）、（Ｂ）、（ＺＬ）、および（ＺＳ）に加え、上述のその他の構成要素（ＺＶ）を含有してよく、その場合、好ましくは構成要素（Ａ）、（Ｂ）、（ＺＬ）、（ＺＳ）、および（ＺＶ）から成り、（ＺＬ）、（ＺＳ）、および（ＺＶ）は任意である。したがって、本発明によるレオロジー制御剤は、構成要素（Ａ）、（Ｂ）、（ＺＬ）、および（ＺＳ）で構成されていてもよい。好ましい実施形態では、（Ａ）、（Ｂ）、および（ＺＬ）、またはとりわけ（Ａ）、（Ｂ）、および（ＺＳ）から成り、極めて好ましい実施形態では（Ａ）および（Ｂ）から成る。上述した、構成要素の好ましい組み合わせ、および特に好ましい組み合わせは、個々の成分の具体的な詳述とは関係しない。
【０１０８】
本発明によるレオロジー制御剤は、好ましくは顔料も充填剤も含有しない。それとは無関係に、本発明によるレオロジー制御剤は、レオロジー制御剤の総重量に対して、好ましくは５重量％未満、特に好ましくは３重量％未満、極めて好ましくは１重量％未満の水を含有する。極めて好ましくは、レオロジー制御剤は本質的に無水である。
【０１０９】
本発明によるレオロジー制御剤は、通常、貯蔵安定性が良好であるため、これに含有される構成要素は、好ましくは互いに対し化学的に不活性である。これは、とりわけ成分（Ａ）、（Ｂ）、（ＺＬ）、（ＺＳ）、および（ＺＶ）の相互間に該当する。
【０１１０】
本発明の別の対象は、調製物の総重量に対して、本発明によるレオロジー制御剤を０．０５〜１０重量％、好ましくは０．１〜９重量％、特に好ましくは０．２〜５重量％、極めて好ましくは０．５〜３重量％含む調製物であり、この調製物が、好ましくは、コーティング剤調合物、プラスチック配合物、顔料ペースト、シーラント配合物、化粧品、セラミック配合物、接着剤配合物、鋳造材料、建築材料配合物、潤滑剤、パテ材料、印刷インキ、およびインク、ならびに石油や天然ガスの採掘補助剤から成る群から選択される。
【０１１１】
この調製物は、好ましくは、溶剤含有調製物または溶剤非含有調製物、とりわけ無水調製物である。本発明の意味における「無水」は、含水率が、調製物の総重量に対して５重量％未満、好ましくは２重量％未満の調製物と理解される。極めて好ましくは、調製物は本質的に無水である、つまり、多くとも、調製物の総重量に対して０．５重量％未満と理解されるごくわずかの水しか含まない。
【０１１２】
代替的な実施形態では、水性調製物が用いられる。そのような調整物は、少なくとも１５重量％、好ましくは少なくとも４０重量％の水を含有すると理解される。とりわけそのような調整物において、本発明によるレオロジー制御剤が有利に用いられる。このレオロジー制御剤は、ラジカルＲＢ４として式ＲＢ５（Ｏ−ＲＢ６）ｎのラジカルを上述の定義の範囲内で有し、ＲＢ６は、極めて好ましくはエチレンである。
【０１１３】
別の実施形態では、本発明によるレオロジー制御剤は、式（Ａ）および（Ｂ）による化合物の総量に対して、０．５ｍｏｌ％未満、特に好ましくは０．２  ｍｏｌ％未満のイソシアネート基を含有し、極めて好ましくは、イソシアネート基を含有しない。このようなレオロジー制御剤は、副反応が特に少ない傾向があり、貯蔵安定性が特に良好である。
【０１１４】
別の実施形態では、本発明による作用物質の組み合わせは、式（Ｂ）および（Ｃ）による化合物の総量に対して、式（Ｃ）の化合物を、３ｍｏｌ％未満、好ましくは２ｍｏｌ％未満、極めて好ましくは１ｍｏｌ％未満含有する。
【０１１５】
（化学式４）
ＲＢ４−Ｏ−Ｃ（＝Ｏ）−ＮＨ−ＲＢ３−ＮＨ−Ｃ（＝Ｏ）−Ｏ−ＲＢ４  （Ｃ）
【０１１６】
上式で、ＲＢ３およびＲＢ４は、式（Ｂ）の意味を有する。
【０１１７】
上述の式（Ｃ）の化合物は、従来の合成経路の副生成物を記載している。この副生成物の量をできるだけ少量に抑えることが有利であることが明らかとなった。
【０１１８】
本発明によるレオロジー制御剤の生成法も、本発明の別の対象であり、このとき、
（ａ）一般式（Ｂ）の少なくとも１つの作用物質が、化合物（Ｂ’’）を用いて一般式（Ｂ’）の化合物を変換することにより生成される。
【０１１９】
（化学式５）
ＨＮＲＢ２−（ＣＨ２）ｘ−ＲＢ１−（ＣＨ２）ｘ−  ＮＲＢ２−ＣＯ−ＮＨ−ＲＢ３−ＮＨ−ＣＯＯＲＢ４  （Ｂ’）
【０１２０】
（化学式６）
ＲＢ４ＯＯＣ−ＮＨ−ＲＢ３−ＮＣＯ  （Ｂ’’）
【０１２１】
上式で、
ラジカルＲＢ１が、未置換、メチル置換、および／またはエチル置換のフェニレン基、ナフチレン基、フェナントリレン基、およびアントラシレン基の群から選択され、
【０１２２】
ＲＢ２が、互いに独立して、水素、または１〜３個の炭素原子を有するアルキル基であり、
【０１２３】
ＲＢ３が、互いに独立して、未置換、メチル置換、および／またはエチル置換のフェニレン基、ナフチレン基、フェナントリレン基、およびアントラシレン基であり、
【０１２４】
ＲＢ４が、互いに独立して、それぞれ７〜１５個の炭素原子を有する、直鎖または分岐のアルキル基またはアルケニル基から成る群から選択され、さらに、ラジカルＲＢ５（Ｏ−ＲＢ６）ｎにおいて、ラジカルＲＢ５が、１〜６個の炭素原子を有するアルキル基であり、ｎラジカルＲＢ６が、互いに独立して、エチレンおよび／またはプロピレンであり、ｎ＝２〜１３であり、
【０１２５】
数字ｘが、互いに独立して、０、１、２、または３であり；かつ
【０１２６】
（ｂ１）一般式（Ｂ）の少なくとも１つの作用物質の生成が、式（Ａ）の少なくとも１つの作用物質の存在下で行われるか、または、
【０１２７】
（ｂ２）一般式（Ｂ）の少なくとも１つの作用物質の生成に続いて、式（Ａ）の少なくとも１つの作用物質が、式（Ｂ）の作用物質と混合される。
【０１２８】
本発明による生成法の、上述の実施形態、および別の実施形態でも、式（Ｂ）による作用物質の生成は、好ましくは、アルカリ金属塩、アルカリ土類金属塩、好ましくはリチウム塩、マグネシウム塩、およびカルシウム塩の存在下で行われる。とりわけ、リチウム塩が有利であることが明らかとなっている。好ましくは、この塩は、ハロゲン化物類、擬ハロゲン化物類、ギ酸塩類、アセテート類、および硝酸塩類から成る群から、特に好ましくは塩化物類および硝酸塩類から成る群から選択される。特に有利であることが明らかとなっているアルカリ塩類およびアルカリ土類塩の例に、ＬｉＣｌおよびＬｉＮＯ３がある。
【０１２９】
別の実施形態では、本発明によるレオロジー制御剤におけるリチウム塩類の量は、式（Ａ）の作用物質および式（Ｂ）の作用物質の総量に対して、好ましくは少なくとも０．５重量％、より好ましくは少なくとも０．７５重量％、さらに好ましくは少なくとも１．０重量％、極めて好ましくは１．５重量％である。
【０１３０】
別の実施形態では、式（Ｂ）の化合物は、式（Ｄ）の化合物と式（Ｅ）の化合物との反応により生成される。
【０１３１】
（化学式７）
Ｏ＝Ｃ＝Ｎ−ＲＢ３−ＮＨ−Ｃ（＝Ｏ）−Ｏ−ＲＢ４  （Ｄ）
【０１３２】
（化学式８）
ＮＨＲＢ２−（ＣＨ２）ｘ−ＲＢ１−（ＣＨ２）ｘ−ＮＨＲＢ２  （Ｅ）
【０１３３】
上式で、ラジカルはすべて、式（Ｂ）で定義されている通りである。
【０１３４】
式（Ｄ）の化合物の生成も、当業者に周知の方法で行うことができる。例えばこれは、アミン類を用いてクロロ炭酸エステルを、またはアルコール類を用いてイソシアネート類を変換させることにより行うことができる。アルコール類を用いてイソシアネート類を変換させる生成法が非常に有利であることが明らかとなっている。
【０１３５】
例えば、式（Ｄ）の化合物は、式（Ｆ）の化合物と式（Ｇ）の化合物との反応により生成される。
【０１３６】
（化学式９）
Ｏ＝Ｃ＝Ｎ−ＲＢ３−Ｎ＝Ｃ＝Ｏ  （Ｆ）
【０１３７】
（化学式１０）
Ｈ−Ｏ−ＲＢ４  （Ｇ）
【０１３８】
上式で、ラジカルはすべて、上に定義されている通りである。
【０１３９】
別の実施形態では、式（Ｄ）の化合物の生成は、おおよそ等モル量の式（Ｆ）および式（Ｇ）の化合物を用いて行う。好ましくは、式（Ｆ）の化合物と式（Ｇ）の化合物の比率が、１．２５：１〜１：１．２５、好ましくは１．１５：１〜１：１．１５、さらに好ましくは１．０７：１〜１：１．０７である。とりわけ、好ましくは、式（Ｆ）の化合物と式（Ｇ）の化合物とを等モルで用いる。これにより、当該化合物を非常に効果的に獲得できるが、反応制御には細心の注意が必要となる。とりわけ、反応温度を低く、好ましくは４５℃以下、より好ましくは４０℃以下に保つことが有利であることが明らかとなっている。
【０１４０】
別の一実施形態では、式（Ｄ）の化合物の生成は、式（Ｆ）および式（Ｇ）の化合物を用いて行い、式（Ｆ）の化合物を１モル多く用いる。好ましくは、式（Ｆ）の化合物と式（Ｇ）の化合物のモル比が、４：１〜１．２５：１、好ましくは３：１〜１．５：１、さらに好ましくは２．５：１〜１．７５：１、極めて好ましくは約２：１である。
【０１４１】
本発明の別の対象は、液体調製物、とりわけ本段落の前後に記載する種の調整物を増粘する、および／またはこれに揺変性を与えるための、本発明によるレオロジー制御剤の使用であり、これらの調整物については、以下に具体的に記載する。
【０１４２】
レオロジー制御剤の上述の構成要素の他に、調製物は追加的に一般的な添加剤を含有してよい。添加剤の例に、ブロッキング防止剤、安定剤、酸化防止剤、顔料、湿潤剤、分散剤、乳化剤、ＵＶ吸収剤、フリーラジカルスカベンジャー、スリップ剤、消泡剤、接着促進剤、レベリング剤、ワックス、ナノ粒子、皮膜形成助剤、難燃剤、または本発明による組成とは異なるその他のレオロジー制御剤がある。好ましい添加剤は、湿潤剤、分散剤、および／または乳化剤である。
【０１４３】
ラッカー、印刷インキ、およびインク、例えばインクジェットインクは、溶剤含有、溶剤非含有または水性のラッカー、印刷インキおよびインクであってよい。ラッカーは、さまざまな適用分野で、中でも、自動車塗料、建築用塗料、保護塗料（船舶や橋梁の塗装など）、缶塗装およびコイル塗装用ラッカー、木材塗料、家具塗料、工業塗料、プラスチック塗料、ワイヤー塗装、食品および種のコーティング、ならびに、カラーフィルター用に、例えばＬＣＤや電子インクで用いられる、いわゆるカラーレジストの領域で使用可能である。コーティング剤、とりわけラッカーの適用範囲には、通常、固体成分の割合が非常に高く、かつ、液体成分の割合が少なく、コーティング剤の生成に用いられるペースト状の材料、例えばいわゆる顔料ペースト、または高分散性の金属粒子または金属粉末をベースにした（例えば、銀、銅、亜鉛、アルミニウム、青銅、真鍮をベースにした）ペーストも含まれる。
【０１４４】
プラスチック配合物は、好ましくは、化学的架橋過程（Ｄｕｒｏｍｅｒの「硬化」）によって変換される、プラスチック材料を生成するための（液体）出発材料であってよい。したがって、好ましいプラスチック調製物は、不飽和ポリエステル樹脂類、ビニルエステル樹脂類、アクリレート樹脂類、エポキシ樹脂類、ポリウレタン樹脂類、ホルムアルデヒド樹脂類（メラミンホルムアルデヒド樹脂類または尿素ホルムアルデヒド樹脂類など）である。これらは、さまざまな条件下で、例えば室温（低温硬化システム）または高温（高温硬化システム）で、場合によっては加圧下でも（「密閉金型」の利用、シートモールディングコンパウンドまたはバルクモールディングコンパウンド）硬化させることができる。ＰＶＣプラスチゾルも好ましいプラスチック配合物とみなされる。
【０１４５】
化粧品調製物は、例えば、ローション、クリーム、ペースト（例えば、練り歯磨き）、フォーム（例えば、シェービングフォーム）、ジェル（例えば、シェービングジェル、シャワージェル、ジェル処方の医薬品）、ヘアシャンプー、液体石鹸、マニキュア、口紅、染毛剤など、いわゆる介護または医療領域に用いられる多様な液体組成物であってよい。
【０１４６】
建築材料配合物は、例えば、コンクリート、セメント、モルタル、タイル接着剤、石膏のような水硬性結合剤など、建築部門で用いられ、硬化後に固体になる、加工時に液状またはペースト状の材料であってよい。
【０１４７】
潤滑剤は、潤滑のために用いられる、すなわち、摩擦および摩耗の低減、ならびに送電、冷却、振動減衰、シーリングおよび腐食保護に用いられる製剤であってよく、この場合、液体潤滑剤や潤滑油が好ましい。滑剤および掘削流体（例えば、石油採掘促進に用いられるような「掘削泥水」）も、定義上、潤滑剤とみなされる。
【０１４８】
接着剤は、表面接着および内部応力によって接合部分を結合できる、加工条件下で液体のあらゆる処理材であってよい。接着剤は、溶剤含有、溶剤非含有、または水性であってよい。
【０１４９】
以下、実施例により本発明をさらに詳しく説明するが、これらの実施例は、制限的に解釈されてはならない。
【発明を実施するための形態】
【０１５０】
「レオロジー制御剤として適した作用物質の組み合わせの生成および適用技術的試験
タイプ（Ａ）の作用物質の生成」：
【０１５１】
［ｎ−プロピルブチロラクタムの生成］
【０１５２】
撹拌機付きオートクレーブに６０．０ｇ（１ｍｏｌ）のｎ−プロピルアミンを入れ、６０℃に加熱した。４５分以内に、撹拌しながら、８６．０ｇ（１ｍｏｌ）のブチロラクトンを添加した。この際、温度が９５℃に上昇した。９０℃でさらに４時間撹拌を続けた。その後で、反応混合物を、撹拌機付き丸底フラスコ、還流冷却器、水分離器、および滴下漏斗に移し、１００℃に加熱した。次いで、撹拌しながら、１時間ごとに温度を１５℃ずつ上げた。追加して、２００℃で１０時間、続発反応を行った。反応時間全体にわたって、発生した反応水を留去した。
アミン価が４ｍｇ  ＫＯＨ／ｇの淡黄色の液体が得られた。反応生成物は、薄膜蒸発器を用いて、１２０℃、＜１ｍｂａｒで蒸留して生成した。
【０１５３】
［ｎ−ペンチルブチロラクタムの生成］
反応容器（撹拌機付き丸底フラスコ、還流冷却器、水分離器、および滴下漏斗）に、６０℃の窒素雰囲気下で１０４．４ｇ（１．２ｍｏｌ）のｎ−ペンチルアミンを入れた。３５分以内に、撹拌しながら、８６．０ｇ（１．０ｍｏｌ）のブチロラクトンを添加した。この際、温度が８０℃に上昇した。温度を２時間で１１０℃に、さらに４時間で２００℃に、その後７時間で２３０℃に上げ、その際に、発生した反応水を継続的に留去した。反応時間終了後に、アミン価が４．５ｍｇ  ＫＯＨ／ｇの低粘度の黄褐色の液体が生じた。反応生成物は、薄膜蒸発器を用いて、１２０℃、＜１ｍｂａｒで蒸留して生成した。その後のアミン価は＜１ｍｇ  ＫＯＨ／ｇであった。
【０１５４】
［ｎ−ヘキシルブチロラクタムの生成（本発明によらない比較例）］
反応容器（撹拌機付き丸底フラスコ、還流冷却器、水分離器、および滴下漏斗）に、６０℃の窒素雰囲気下で１２１．０ｇ（１．２ｍｏｌ）のｎ−ヘキシルアミンを入れた。４５分以内に、撹拌しながら、８６．０ｇ（１．０ｍｏｌ）のブチロラクトンを添加した。この際、温度が７５℃に上昇した。温度を２時間で１１０℃に、さらに４時間で２００℃に、その後７時間で２３０℃に上げ、その際に、発生した反応水を継続的に留去した。反応時間終了後に、アミン価が４．５ｍｇ  ＫＯＨ／ｇ、ヒドロキシル価が１２．４ｍｇ  ＫＯＨ／ｇの澄んだオレンジ色の液体が生じた。反応生成物は、薄膜蒸発器を用いて、１２０℃、＜１ｍｂａｒで蒸留して生成した。
【０１５５】
「本発明による作用物質の組み合わせおよび比較の組み合わせの生成」：
【実施例１】
【０１５６】
ステップ１：
【０１５７】
まず、特許文献６に従って、ヒドロキシル価が２２０ｍｇ  ＫＯＨ／ｇ（ＤＩＮ／ＩＳＯ  ４６２９に従って測定）のポリエチレングリコールモノブチルエーテルからジイソシアナートモノ付加体と、２，４トルエンジイソシアネート３５％および２，６トルエンジイソシアネート６５％の混合物とを６４．４ｇ生成する。
【０１５８】
ステップ２：
【０１５９】
４口フラスコに撹拌機、滴下漏斗、温度計、および還流冷却器を取り付ける。６４．５ｇのプロピルブチロラクタムを入れ、窒素雰囲気下で撹拌しながら１２０℃に加熱する。５．１ｇの塩化リチウムを添加し、この温度で撹拌しながら１時間溶解させる。次いで、温度を８０℃に下げる。１０．２ｇのメタキシリレンジアミンを添加し、混合物をホモジナイズする。予め（ステップ１）生成したイソシアネート付加体を、撹拌しながら１時間以内でアミン溶液にゆっくり滴加し、温度が８５℃を超えないようにする。反応をより完全なものにするために、反応混合物をさらに３時間、８０℃で撹拌する。軽く濁った、黄色っぽい粘性のある生成物が得られる。アミン価は５．２ｍｇ  ＫＯＨ／ｇ（ＤＩＮ１６９４５に従って測定）となる。この生成物は５２重量％の作用物質（Ｂ）を含有する。
【実施例２】
【０１６０】
ステップ１：
【０１６１】
まず、特許文献６に従って、ヒドロキシル価が２２０ｍｇ  ＫＯＨ／ｇ（ＤＩＮ／ＩＳＯ  ４６２９に従って測定）のポリエチレングリコールモノブチルエーテルからジイソシアナートモノ付加体と、２，４トルエンジイソシアネート３５％および２，６トルエンジイソシアネート６５％の混合物とを６４．４ｇ生成する。
【０１６２】
ステップ２：
【０１６３】
４口フラスコに撹拌機、滴下漏斗、温度計、および還流冷却器を取り付ける。１１８．２ｇのペンチルブチロラクタムを入れ、窒素雰囲気下で撹拌しながら１２０℃に加熱する。４．２ｇの塩化リチウムを添加し、この温度で撹拌しながら１時間溶解させる。次いで、温度を８０℃に下げる。１０．２ｇのメタキシリレンジアミンを添加し、混合物をホモジナイズする。予め（ステップ１）生成したイソシアネート付加体を、撹拌しながら１時間以内でアミン溶液にゆっくり滴加し、温度が８５℃を超えないようにする。反応をより完全なものにするために、反応混合物をさらに３時間、８０℃で撹拌する。アミン価は３．６ｍｇ  ＫＯＨ／ｇ（ＤＩＮ１６９４５に従って測定）となる。この生成物は３８重量％の作用物質（Ｂ）を含有する。
【０１６４】
（比較例１）
ステップ１：
【０１６５】
まず、特許文献６に従って、ヒドロキシル価が２２０ｍｇ  ＫＯＨ／ｇ（ＤＩＮ／ＩＳＯ  ４６２９に従って測定）のポリエチレングリコールモノブチルエーテルからジイソシアナートモノ付加体と、２，４トルエンジイソシアネート３５％および２，６トルエンジイソシアネート６５％の混合物とを６４．４ｇ生成する。
【０１６６】
ステップ２：
【０１６７】
４口フラスコに撹拌機、滴下漏斗、温度計、および還流冷却器を取り付ける。７２．７ｇのエチルブチロラクタムを入れ、窒素雰囲気下で撹拌しながら１２０℃に加熱する。４．２ｇの塩化リチウムを添加し、この温度で撹拌しながら１時間溶解させる。次いで、温度を８０℃に下げる。１０．２ｇのメタキシリレンジアミンを添加し、混合物をホモジナイズする。予め（ステップ１）生成したイソシアネート付加体を、撹拌しながら１時間以内でアミン溶液にゆっくり滴加し、温度が８５℃を超えないようにする。反応をより完全なものにするために、反応混合物をさらに３時間、８０℃で撹拌する。澄んだ黄色い生成物が得られる。アミン価は１ｍｇ  ＫＯＨ／ｇ（ＤＩＮ１６９４５に従って測定）となる。この生成物は４９重量％の作用物質（Ｂ）を含有するが、作用物質（Ａ）を含有せず、代わりにエチルブチロラクタムを含有する。
【０１６８】
（比較例２）
ステップ１：
【０１６９】
まず、特許文献６に従って、ヒドロキシル価が２２０ｍｇ  ＫＯＨ／ｇ（ＤＩＮ／ＩＳＯ  ４６２９に従って測定）のポリエチレングリコールモノブチルエーテルからジイソシアナートモノ付加体と、２，４トルエンジイソシアネート３５％および２，６トルエンジイソシアネート６５％の混合物とを６４．４ｇ生成する。
【０１７０】
ステップ２：
【０１７１】
４口フラスコに撹拌機、滴下漏斗、温度計、および還流冷却器を取り付ける。７２．７ｇのメチルブチロラクタムを入れ、窒素雰囲気下で撹拌しながら１２０℃に加熱する。４．２ｇの塩化リチウムを添加し、この温度で撹拌しながら１時間溶解させる。次いで、温度を８０℃に下げる。１０．２ｇのメタキシリレンジアミンを添加し、混合物をホモジナイズする。予め（ステップ１）生成したイソシアネート付加体を、撹拌しながら１時間以内でアミン溶液にゆっくり滴加し、温度が８５℃を超えないようにする。反応をより完全なものにするために、反応混合物をさらに３時間、８０℃で撹拌する。澄んだ黄色い生成物が得られる。この生成物は４９重量％の作用物質（Ｂ）を含有するが、作用物質（Ａ）を含有せず、代わりにメチルブチロラクタムを含有する。
【０１７２】
（比較例３）
ステップ１：
【０１７３】
まず、特許文献６に従って、ヒドロキシル価が２２０ｍｇ  ＫＯＨ／ｇ（ＤＩＮ／ＩＳＯ  ４６２９に従って測定）のポリエチレングリコールモノブチルエーテルからジイソシアナートモノ付加体と、２，４トルエンジイソシアネート３５％および２，６トルエンジイソシアネート６５％の混合物とを６４．４ｇ生成する。
【０１７４】
ステップ２：
【０１７５】
４口フラスコに撹拌機、滴下漏斗、温度計、および還流冷却器を取り付ける。１１８．２ｇのヘキシルブチロラクタムを入れ、窒素雰囲気下で撹拌しながら１２０℃に加熱する。４．２ｇの塩化リチウムを添加し、この温度で撹拌しながら１時間溶解させる。次いで、温度を８０℃に下げる。１０．２ｇのメタキシリレンジアミンを添加し、混合物をホモジナイズする。予め（ステップ１）生成したイソシアネート付加体を、撹拌しながら１時間以内でアミン溶液にゆっくり滴加し、温度が８５℃を超えないようにする。反応をより完全なものにするために、反応混合物をさらに３時間、８０℃で撹拌する。アミン価は３．１ｍｇ  ＫＯＨ／ｇ（ＤＩＮ１６９４５に従って測定）となる。この生成物は３８重量％の作用物質（Ｂ）を含有するが、作用物質（Ａ）を含有せず、代わりにヘキシルブチロラクタムを含有する。
【０１７６】
［ゲル強度および濁りを評価する試験系］
【０１７７】
この一連の試験では、必要に応じて、タイプ（Ａ）のそれぞれの化合物（または、本発明によらない比較例では、それぞれ含有されている化合物、メチルブチロラクタムもしくはエチルブチロラクタム）の量を増やして組成物に添加することにより、試験したすべての生成物について、添加剤組成物中の３８重量％の尿素化合物（Ｂ）の含有量を調整する。
【０１７８】
１００ｍＬのガラス瓶に、ｎ−酢酸ブチル／Ｄｏｗａｎｏｌ  ＰＭ  ７５：２５（ｗ／ｗ）から成る溶媒混合液５０ｇを入れ、次いで、それぞれの添加剤を溶解機Ｄｉｓｐｅｒｍａｔ  ＣＶ（１０００ｒｐｍで歯付きディスクｄ＝２．５ｃｍ）で撹拌しながら混ぜ込む。この際、すべての例で、作用物質（Ｂ）の０．５重量％（酢酸ブチルおよびＤｏｗａｎｏｌ  ＰＭの総量に対して）に相当する配量を選択した。添加後、さらに１分間、撹拌を続ける。
【０１７９】
次いで、試料を室温に１時間置いてから、濁りに基づくシステムで、添加剤のレオロジー効果および相溶性の基準としてゲル強度を視覚的に評価する。
【０１８０】
この際、ゲル強度には以下の評価スケールを適用する：１（非常に強い）、２（強い）、３（中度）、４（非常に弱い）、５（ゲルではない）。濁り（相溶性）の評価には以下のスケールを適用する：１（澄んでいる）、２（軽い濁り）、３（濁り）、４（激しい濁り）、５（非常に激しい濁り）。したがって、ゲル強度も濁りも、それぞれのスケールの低い値が有利である。
【０１８１】
【表１】
2017506690.tif 000005
【０１８２】
表１から、本発明によらない比較例１および３が、本発明による実施例１および２よりもゲル強度が明らかに低いことがわかる。
【０１８３】
［寸法安定性を評価するための試験系］
上述の一連の試験と同じように、必要に応じて、タイプ（Ａ）のそれぞれの化合物（または、本発明によらない比較例では、それぞれ含有されている化合物、メチルブチロラクタムもしくはエチルブチロラクタム）の量を増やして組成物に添加することにより、試験したすべての生成物について、添加剤組成物中の３８重量％の尿素化合物（Ｂ）の含有量を調整する。
【０１８４】
１５０ｍＬのガラス瓶に、７５．０ｇのエピコート１００１厚膜配合物（成分１）を入れ、次いで、それぞれの添加剤をＤｉｓｐｅｒｍａｔ  ＣＶ（１０００ｒｐｍで歯付きディスクｄ＝２．５ｃｍ）で撹拌しながら混ぜ込む。この際、すべての例で、作用物質（Ｂ）の１．０重量％（ラッカーの総量に対して）に相当する配量を選択した。添加後、さらに１分間、撹拌を続ける。次いで、試料を２５℃で１日間置き、硬化剤（成分２）を混ぜ入れた後に、レオロジー効果の基準として寸法安定性を評価する。そのために、試料をＡｎｄａｌｏｋ振動装置（「Ｎａｔａｌｉｅ」モデル）でまず５分間せん断する。せん断直後に、段階スキージー（モデル：Ｅｒｉｃｈｓｅｎ  ４２１／Ｓ、膜厚５０〜５００μｍおよび５５０〜１０００μｍ）とＢＹＫガードナーの自動巻き上げ機とを用いて、コントラストチャート上で５ｃｍ／秒の速度で塗布を行う。塗布後にコントラストチャートをまっすぐ水平に吊して乾燥させる。乾燥後、ラッカーが流れない、すなわち、ラッカーの液だれや膨らみ形成が認められない膜厚（μｍ、湿潤条件）を測定する。同一の作用物質を用いたときに寸法安定性の値が高いほど、せん断応力に基づくレオロジー効果が良好である。
【０１８５】
【表２】
2017506690.tif 000006
【表３】
2017506690.tif 000007
【０１８６】
【表４】
2017506690.tif 000008
【０１８７】
表４から、本発明によらない比較例１および２が、本発明による実施例２の生成物よりも寸法安定性が低い（すなわち、最大膜厚が小さい）ことがわかる。
【国際調査報告】
2017506690.tif 000011
2017506690.tif 000012
2017506690.tif 000013
2017506690.tif 000014